(57)【要約】【課題】異なる評価尺度で作られた二つの順序付きアイコン列の表示に関し、特に、ユーザがよく利用するアプリケーションとレコメンドするアプリケーションとをユーザの心理的阻害を招かないよう同一の画面に表示する。【解決手段】異なる評価尺度で得られた２つの順序付きアイコン列をそれぞれ記憶し、２つの順序付きアイコン列の一部を重ねて一列に配置する。そして、配置されたアイコン群を表示する。【選択図】図２
2013025685.tif 000002
【特許請求の範囲】
【請求項１】
異なる評価尺度で得られた２つの順序付きアイコン列をそれぞれ記憶する記憶手段と、
前記２つの順序付きアイコン列の一部を重ねて一列に配置する合成配置制御手段と、
該配置されたアイコン群を表示する表示手段と、
を備えたことを特徴とするアイコン列の表示装置。
【請求項２】
表示最大個数（Ｖｉｅｗ  ＭＡＸ）に対して、１のアイコンの大きさを他のアイコンの大きさよりも大きく表示させる表示エリア（ｎ）が設定され、
前記記憶手段が、前記２つの順序付きアイコンのそれぞれについて、大きさの異なるアイコン（Ｆ（）、ｆ（）、Ｒ（）、ｒ（））を記憶し、
前記合成配置制御手段が、前記設定された表示エリア（ｎ）に対して、ｘ（ｘ＝１、…、Ｖｉｅｗ  ＭＡＸ）番目の表示位置Ｖｉｅｗ（ｘ）の異なる２つのアイコンを数１にしたがって、合成することを特徴とする請求項１に記載のアイコン列の表示装置。
【数１】
2013025685.tif 000004
【請求項３】
前記合成配置制御手段は、前記１のアイコン（Ｆ（））の個数がＮ（＜Ｖｉｅｗ  ＭＡＸ）であるとき、Ｎ＜ｘの表示位置について、前記他のアイコン（Ｒ（））をＶｉｅｗ（ｘ）＝Ｒ（Ｖｉｅｗ  ＭＡＸ−ｘ）として単体で配置することを特徴とする請求項２に記載のアイコン列の表示装置。
【請求項４】
前記合成配置制御手段は、前記他のアイコン（Ｒ（））の個数がＭ（＜Ｖｉｅｗ  ＭＡＸ）であるとき、ｘ≦Ｖｉｅｗ  ＭＡＸ−Ｍの表示位置について、前記１のアイコン（Ｆ（））をＶｉｅｗ（ｘ）＝Ｆ（ｘ）として単体で配置することを特徴とする請求項２に記載のアイコン列の表示装置。
【請求項５】
前記合成配置制御手段は、前記１のアイコン（Ｆ（））の個数がＮ（＜Ｖｉｅｗ  ＭＡＸ）で、かつ、前記他のアイコン（Ｒ（））の個数がＭ（＜Ｖｉｅｗ  ＭＡＸ）であり、Ｎ＋Ｍ＜Ｖｉｅｗ  ＭＡＸのとき、Ｎ＜ｘ≦Ｖｉｅｗ  ＭＡＸ−Ｍの表示位置について、いずれのアイコンも配置しないことを特徴とする請求項２に記載のアイコン列の表示装置。
【請求項６】
前記表示エリア（ｎ）を変更する変更手段を備え、
前記ｎが＋１変更されたときに、前記合成配置制御手段は、前記表示位置Ｖｉｅｗ（ｎ＋１）のアイコンの配置をＶｉｅｗ（ｎ＋１）＝ｆ（ｎ＋１）＋Ｒ（Ｖｉｅｗ  ＭＡＸ−ｎ＋１）からＶｉｅｗ（ｎ＋１）＝Ｆ（ｎ＋１）＋ｒ（Ｖｉｅｗ  ＭＡＸ−ｎ＋１）に変更することを特徴とする請求項２から請求項４に記載のアイコン列の表示装置。
【請求項７】
前記ｎが−１変更されたときに、前記合成配置制御手段は、前記表示位置Ｖｉｅｗ（ｎ−１）のアイコンの配置をＶｉｅｗ（ｎ−１）＝ｆ（ｎ−１）＋Ｒ（Ｖｉｅｗ  ＭＡＸ−ｎ）からＶｉｅｗ（ｎ−１）＝Ｆ（ｎ−１）＋ｒ（Ｖｉｅｗ  ＭＡＸ−ｎ）に変更することを特徴とする請求項６に記載のアイコン列の表示装置。
【請求項８】
前記表示エリア（ｎ）を変更する変更手段を備え、
ｎ≧Ｖｉｅｗ  ＭＡＸの場合に、ｎが＋１変更されたときに、前記合成配置制御手段は、前記表示位置Ｖｉｅｗ（ｎ＋１）に新たなアイコンを配置し、表示エリア全体をアイコン表示領域１コマ分前記表示位置を正方向に移動させることを特徴とする請求項２から請求項４に記載のアイコン列の表示装置。
【請求項９】
ｎ＞Ｖｉｅｗ  ＭＡＸの場合に、ｎが−１変更されたときに、前記合成配置制御手段は、表示エリア全体をアイコン表示領域１コマ分前記表示位置の負方向に移動させることを特徴とする請求項８に記載のアイコン列の表示装置。
【請求項１０】
ｎ≦０の場合に、ｎが−１変更されたときに、前記合成配置制御手段は、前記表示位置Ｖｉｅｗ（ｎ−１）に新たなアイコンを配置し、表示エリア全体をアイコン表示領域１コマ分前記表示位置の負方向に移動させることを特徴とする請求項８に記載のアイコン列の表示装置。
【請求項１１】
ｎ＜０の場合に、ｎが＋１変更されたときに、前記合成配置制御手段は、表示エリア全体をアイコン表示領域１コマ分前記表示位置の正方向に移動させることを特徴とする請求項８に記載のアイコン列の表示装置。
【請求項１２】
前記変更手段が端末上に配置された物理的なカーソルキーあるいは、画面上に描写された矢印等のアイコンであることを特徴とする請求項６から請求項１１に記載のアイコン列の表示装置。
【請求項１３】
前記変更手段がタッチパネルのフリック操作であることを特徴とする請求項６から請求項１１に記載のアイコン列の表示装置。
【請求項１４】
前記変更手段は、一定時間が経過すると所定量だけｎを変更することを特徴とする請求項６から請求項１１に記載のアイコン列の表示装置。
【請求項１５】
前記合成配置制御手段が合成配置したアイコンをアニメーション表示するアニメーション表示制御手段を設けたことを特徴とする請求項１から請求項１４に記載のアイコン列の表示装置。
【発明の詳細な説明】
【技術分野】
【０００１】
本発明は、異なる評価尺度で作られた二つの順序付きアイコン列の表示に関し、特に、ユーザがよく利用するアプリケーションとレコメンドするアプリケーションとをユーザの心理的阻害を招かないよう同一の画面に表示するのに好適なアイコン列の表示装置に関する。
【背景技術】
【０００２】
従来より、ウインドウマネージャによりディスプレイ上の複数のウインドウを、用途に応じた画面サイズ・位置に自動的にタイル状に表示することを可能とする表示装置あるいは表示方法（例えば、特許文献１参照。）や複数の音楽からなるコンテンツ列について、それぞれにおいて優先度の高い音楽コンテンツのみを表示し、優先度の低い音楽コンテンツを間引き表示することで、各音楽コンテンツ（ジャンル等）の相対的な順序を維持したまま表示することを可能とする表示装置あるいは表示方法が知られている（例えば、特許文献２参照。）。
【０００３】
一方で、ユーザの履歴情報に基づいて、ユーザがよく利用するアプリケーションを提示したり、ユーザ以外の履歴情報をも用いて、ユーザが今まで利用したことがないアプリケーションをレコメンドする技術が知られている。
【先行技術文献】
【特許文献】
【０００４】
【特許文献１】特開２００２−１１６９０３号公報
【特許文献２】特開２００７−１６４２９８号公報
【発明の概要】
【発明が解決しようとする課題】
【０００５】
しかしながら、アプリケーションのレコメンドの場合等では、アプリケーションを単体で表示しても、なかなか利用されにくいという問題がある。これに対して、広告として表示する方法等も考えられるが、広告自体を見ることの煩雑さやレコメンドの強制として捉えられることによるユーザの拒否感があった。そのため、ユーザの心理的阻害を招かないように、アイコンを視覚的判別可能、かつ、タッチ等の操作により各々から選択可能な状態で一列に並べるといった表示形態が求められる。
【０００６】
一方で、上記の特許文献１に記載の技術は、こうした表示方式に関するものであるが、上記の特許文献１に記載の技術は、二次元空間であるディスプレイ画面上において、ウインドウ同士が重ならないよう配置する技術であり、アイコンを視覚的判別可能、かつ、タッチ等の操作により各々から選択可能な状態で一列に並べるという、今回の用途には適さない。
【０００７】
また、上記の特許文献２に記載の技術も、こうした表示方式に関するものであるが、上記の特許文献１に記載の技術は、全体における表示位置の変更操作と、詳細表示の度合を変更するズーム操作を必要とするために、ダイヤル等の外部装置を想定している。そのため、複雑な操作を要するため、今回の用途には適さない。
【０００８】
そこで、本発明は、上述の課題に鑑みてなされたものであり、異なる評価尺度で作られた二つの順序付きアイコン列の表示に関し、特に、ユーザがよく利用するアプリケーションとレコメンドするアプリケーションとをユーザの心理的阻害を招かないよう同一の画面に表示するのに好適なアイコン列の表示装置を提供することを目的とする。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、異なる評価尺度で得られた２つの順序付きアイコン列をそれぞれ記憶する記憶手段（例えば、図１の記憶部１１０に相当）と、前記２つの順序付きアイコン列の一部を重ねて一列に配置する合成配置制御手段（例えば、図１の合成配置制御部１２０に相当）と、該配置されたアイコン群を表示する表示手段（例えば、図１の表示部１３０に相当）と、を備えたことを特徴とするアイコン列の表示装置を提案している。
【００１１】
この発明によれば、記憶手段は、異なる評価尺度で得られた２つの順序付きアイコン列をそれぞれ記憶する。合成配置制御手段は、２つの順序付きアイコン列の一部を重ねて一列に配置する。表示手段は、配置されたアイコン群を表示する。したがって、異なる評価尺度で作られた二つの順序付きアイコン列の表示に関し、特に、ユーザがよく利用するアプリケーションとレコメンドするアプリケーションとをユーザの心理的阻害を招かないよう同一の画面に表示することができる。
【００１２】
（２）本発明は、（１）のアイコン列の表示装置について、表示最大個数（Ｖｉｅｗ  ＭＡＸ）に対して、１のアイコンの大きさを他のアイコンの大きさよりも大きく表示させる表示エリア（ｎ）が設定され、前記記憶手段（例えば、図１の記憶部１１０に相当）が、前記２つの順序付きアイコンのそれぞれについて、大きさの異なるアイコンを記憶し、前記合成配置制御手段（例えば、図１の合成配置制御部１２０に相当）が、前記設定された表示エリア（ｎ）に対して、ｘ（ｘ＝１、…、Ｖｉｅｗ  ＭＡＸ）番目の表示位置Ｖｉｅｗ（ｘ）の異なる２つのアイコンを数１にしたがって、合成することを特徴とするアイコン列の表示装置を提案している。
【００１３】
この発明によれば、表示最大個数（Ｖｉｅｗ  ＭＡＸ）に対して、１のアイコンの大きさを他のアイコンの大きさよりも大きく表示させる表示エリア（ｎ）が設定され、記憶手段が、２つの順序付きアイコンのそれぞれについて、大きさの異なるアイコン（１の順序付きアイコンＦ（）、１の順序付きアイコン小ｆ（）、他の順序付きアイコン大Ｒ（）、他の順序付きアイコンｒ（））を記憶し、合成配置制御手段が、設定された表示エリア（ｎ）に対して、ｘ（ｘ＝１、…、Ｖｉｅｗ  ＭＡＸ）番目の表示位置Ｖｉｅｗ（ｘ）の異なる２つのアイコンを数１にしたがって、合成する。したがって、異なる評価尺度で作られた二つの順序付きアイコン列を、その順位関係を崩すことなく表示することが可能となる。
【００１４】
（３）本発明は、（２）のアイコン列の表示装置について、前記合成配置制御手段（例えば、図３の合成配置制御部２２０に相当）は、前記１のアイコン（Ｆ（））の個数がＮ（＜Ｖｉｅｗ  ＭＡＸ）であるとき、Ｎ＜ｘの表示位置について、前記他のアイコン（Ｒ（））をＶｉｅｗ（ｘ）＝Ｒ（Ｖｉｅｗ  ＭＡＸ−ｘ）として単体で配置することを特徴とするアイコン列の表示装置を提案している。
【００１５】
ことなく表示することが可能となる。
【００１６】
（４）本発明は、（２）のアイコン列の表示装置について、前記合成配置制御手段（例えば、図３の合成配置制御部２２０に相当）は、前記他のアイコン（Ｒ（））の個数がＭ（＜Ｖｉｅｗ  ＭＡＸ）であるとき、ｘ≦Ｖｉｅｗ  ＭＡＸ−Ｍの表示位置について、前記１のアイコン（Ｆ（））をＶｉｅｗ（ｘ）＝Ｆ（ｘ）として単体で配置することを特徴とするアイコン列の表示装置を提案している。
【００１７】
この発明によれば、合成配置制御手段は、他のアイコン（Ｒ（））の個数がＭ（＜Ｖｉｅｗ  ＭＡＸ）であるとき、ｘ≦Ｖｉｅｗ  ＭＡＸ−Ｍの表示位置について、１のアイコン（Ｆ（））をＶｉｅｗ（ｘ）＝Ｆ（ｘ）として単体で配置する。したがって、記憶手段に記憶されているアイコンの数が表示最大個数（Ｖｉｅｗ  ＭＡＸ）よりも少ない場合であっても、異なる評価尺度で作られた二つの順序付きアイコン列を、その順位関係を崩すことなく表示することが可能となる。
【００１８】
（５）本発明は、（２）のアイコン列の表示装置について、前記合成配置制御手段（例えば、図３の合成配置制御部２２０に相当）は、前記１のアイコン（Ｆ（））の個数がＮ（＜Ｖｉｅｗ  ＭＡＸ）で、かつ、前記他のアイコン（Ｒ（））の個数がＭ（＜Ｖｉｅｗ  ＭＡＸ）であり、Ｎ＋Ｍ＜Ｖｉｅｗ  ＭＡＸのとき、Ｎ＜ｘ≦Ｖｉｅｗ  ＭＡＸ−Ｍの表示位置について、いずれのアイコンも配置しないことを特徴とするアイコン列の表示装置を提案している。
【００１９】
この発明によれば、合成配置制御手段は、１のアイコン（Ｆ（））の個数がＮ（＜Ｖｉｅｗ  ＭＡＸ）で、かつ、他のアイコン（Ｒ（））の個数がＭ（＜Ｖｉｅｗ  ＭＡＸ）であり、Ｎ＋Ｍ＜Ｖｉｅｗ  ＭＡＸのとき、Ｎ＜ｘ≦Ｖｉｅｗ  ＭＡＸ−Ｍの表示位置について、いずれのアイコンも配置しない。したがって、記憶手段に記憶されているアイコンの数が表示最大個数（Ｖｉｅｗ  ＭＡＸ）よりも少ない場合であっても、異なる評価尺度で作られた二つの順序付きアイコン列を、その順位関係を崩すことなく表示することが可能となる。
【００２０】
（６）本発明は、（２）から（４）のアイコン列の表示装置について、前記表示エリア（ｎ）を変更する変更手段（例えば、図７のエリア変更部３１０に相当）を備え、前記ｎが＋１変更されたときに、前記合成配置制御手段（例えば、図７の合成配置制御部３２０に相当）は、前記表示位置Ｖｉｅｗ（ｎ＋１）のアイコンの配置をＶｉｅｗ（ｎ＋１）＝ｆ（ｎ＋１）＋Ｒ（Ｖｉｅｗ  ＭＡＸ−ｎ＋１）からＶｉｅｗ（ｎ＋１）＝Ｆ（ｎ＋１）＋ｒ（Ｖｉｅｗ  ＭＡＸ−ｎ＋１）に変更することを特徴とするアイコン列の表示装置を提案している。
【００２１】
この発明によれば、変更手段は、表示エリア（ｎ）を変更する。そして、ｎが＋１変更されたときに、合成配置制御手段は、表示位置Ｖｉｅｗ（ｎ＋１）のアイコンの配置をＶｉｅｗ（ｎ＋１）＝ｆ（ｎ＋１）＋Ｒ（Ｖｉｅｗ  ＭＡＸ−ｎ＋１）からＶｉｅｗ（ｎ＋１）＝Ｆ（ｎ＋１）＋ｒ（Ｖｉｅｗ  ＭＡＸ−ｎ＋１）に変更する。したがって、ユーザの操作により、表示最大個数（Ｖｉｅｗ  ＭＡＸ）の範囲内で表示変更の指示がされた場合であっても、ユーザの意図に即した選択的な閲覧が可能となる。
【００２２】
（７）本発明は、（６）のアイコン列の表示装置について、前記ｎが−１変更されたときに、前記合成配置制御手段（例えば、図７の合成配置制御部３２０に相当）は、前記表示位置Ｖｉｅｗ（ｎ−１）のアイコンの配置をＶｉｅｗ（ｎ−１）＝ｆ（ｎ−１）＋Ｒ（Ｖｉｅｗ  ＭＡＸ−ｎ）からＶｉｅｗ（ｎ−１）＝Ｆ（ｎ−１）＋ｒ（Ｖｉｅｗ  ＭＡＸ−ｎ）に変更することを特徴とするアイコン列の表示装置を提案している。
【００２３】
この発明によれば、ｎが−１変更されたときに、合成配置制御手段は、表示位置Ｖｉｅｗ（ｎ−１）のアイコンの配置をＶｉｅｗ（ｎ−１）＝ｆ（ｎ−１）＋Ｒ（Ｖｉｅｗ  ＭＡＸ−ｎ）からＶｉｅｗ（ｎ−１）＝Ｆ（ｎ−１）＋ｒ（Ｖｉｅｗ  ＭＡＸ−ｎ）に変更する。したがって、ユーザの操作により、表示最大個数（Ｖｉｅｗ  ＭＡＸ）の範囲内で表示変更の指示がされた場合であっても、ユーザの意図に即した選択的な閲覧が可能となる。
【００２４】
（８）本発明は、（２）から（４）のアイコン列の表示装置について、前記表示エリア（ｎ）を変更する変更手段（例えば、図１１のエリア変更部３１０に相当）を備え、ｎ≧Ｖｉｅｗ  ＭＡＸの場合に、ｎが＋１変更されたときに、前記合成配置制御手段（例えば、図１１の合成配置制御部４２０に相当）は、前記表示位置Ｖｉｅｗ（ｎ＋１）に新たなアイコンを配置し、表示エリア全体をアイコン表示領域１コマ分前記表示位置の正方向に移動させることを特徴とするアイコン列の表示装置を提案している。
【００２５】
この発明によれば、変更手段は、表示エリア（ｎ）を変更する。そして、ｎ≧Ｖｉｅｗ  ＭＡＸの場合に、ｎが＋１変更されたときに、合成配置制御手段は、表示位置Ｖｉｅｗ（ｎ＋１）に新たなアイコンを配置し、表示エリア全体をアイコン表示領域１コマ分表示位置の正方向に移動させる。したがって、ユーザの操作により、表示最大個数（Ｖｉｅｗ  ＭＡＸ）の範囲を越えて表示変更の指示がされた場合であっても、ユーザの意図に即した選択的な閲覧が可能となる。ここで、表示位置の正方向とは、例えば、図１２に示されるように、Ｖｉｅｗ  ＭＡＸであるＶｉｅｗ（４）の右側に隣接したＶｉｅｗ（５）に相当する表示位置をいう。
【００２６】
（９）本発明は、（８）のアイコン列の表示装置について、ｎ＞Ｖｉｅｗ  ＭＡＸの場合に、ｎが−１変更されたときに、前記合成配置制御手段（例えば、図１１の合成配置制御部４２０に相当）は、表示エリア全体をアイコン表示領域１コマ分前記表示位置の負方向に移動させることを特徴とするアイコン列の表示装置を提案している。
【００２７】
この発明によれば、ｎ＞Ｖｉｅｗ  ＭＡＸの場合に、ｎが−１変更されたときに、合成配置制御手段は、表示エリア全体をアイコン表示領域１コマ分表示位置の負方向に移動させる。したがって、ユーザの操作により、表示最大個数（Ｖｉｅｗ  ＭＡＸ）の範囲を越えて表示変更の指示がされた場合であっても、ユーザの意図に即した選択的な閲覧が可能となる。ここで、表示位置の負方向とは、例えば、図１３に示されるように、Ｖｉｅｗ（２）の左側に隣接したＶｉｅｗ（１）に相当する表示位置をいう。
【００２８】
（１０）本発明は、（８）のアイコン列の表示装置について、ｎ≦０の場合に、ｎが−１変更されたときに、前記合成配置制御手段（例えば、図１１の合成配置制御部４２０に相当）は、前記表示位置Ｖｉｅｗ（ｎ−１）に新たなアイコンを配置し、表示エリア全体をアイコン表示領域１コマ分前記表示位置の負方向に移動させることを特徴とするアイコン列の表示装置を提案している。
【００２９】
この発明によれば、ｎ≦０の場合に、ｎが−１変更されたときに、合成配置制御手段は、表示位置Ｖｉｅｗ（ｎ−１）に新たなアイコンを配置し、表示エリア全体をアイコン表示領域１コマ分表示位置の負方向に移動させる。したがって、ユーザの操作により、表示最大個数（Ｖｉｅｗ  ＭＡＸ）の範囲を越えて表示変更の指示がされた場合であっても、ユーザの意図に即した選択的な閲覧が可能となる。ここで、表示位置の負方向とは、例えば、図１４に示されるように、Ｖｉｅｗ（１）の左側に隣接したＶｉｅｗ（０）に相当する表示位置をいう。
【００３０】
（１１）本発明は、（８）のアイコン列の表示装置について、ｎ＜０の場合に、ｎが＋１変更されたときに、前記合成配置制御手段（例えば、図１１の合成配置制御部４２０に相当）は、表示エリア全体をアイコン表示領域１コマ分前記表示位置の正方向に移動させることを特徴とするアイコン列の表示装置を提案している。
【００３１】
この発明によれば、ｎ＜０の場合に、ｎが＋１変更されたときに、合成配置制御手段は、表示エリア全体をアイコン表示領域１コマ分表示位置の正方向に移動させる。したがって、ユーザの操作により、表示最大個数（Ｖｉｅｗ  ＭＡＸ）の範囲を越えて表示変更の指示がされた場合であっても、ユーザの意図に即した選択的な閲覧が可能となる。ここで、表示位置の正方向とは、例えば、図１５に示されるように、Ｖｉｅｗ  ＭＡＸであるＶｉｅｗ（４）の右側に隣接したＶｉｅｗ（５）に相当する表示位置をいう。
【００３２】
（１２）本発明は、（６）から（１１）のアイコン列の表示装置について、前記変更手段が端末上に配置された物理的なカーソルキーあるいは、画面上に描写された矢印等のアイコンであることを特徴とするアイコン列の表示装置を提案している。
【００３３】
この発明によれば、変更手段が端末上に配置された物理的なカーソルキーあるいは、画面上に描写された矢印等のアイコンカーソルキーである。
【００３４】
（１３）本発明は、（６）から（１１）のアイコン列の表示装置について、前記変更手段がタッチパネルのフリック操作であることを特徴とするアイコン列の表示装置を提案している。
【００３５】
この発明によれば、変更手段がタッチパネルのフリック操作である。
【００３６】
（１４）本発明は、（６）から（１１）のアイコン列の表示装置について、前記変更手段は、一定時間が経過すると所定量だけｎを変更することを特徴とするアイコン列の表示装置を提案している。
【００３７】
この発明によれば、変更手段は、一定時間が経過すると所定量だけｎを変更する。
【００３８】
（１５）本発明は、（１）から（１４）のアイコン列の表示装置について、前記合成配置制御手段が合成配置したアイコンをアニメーション表示するアニメーション表示制御手段（例えば、図１６のアニメーション表示制御部５１０に相当）を設けたことを特徴とするアイコン列の表示装置を提案している。
【００３９】
この発明によれば、アニメーション表示制御手段は、合成配置制御手段が合成配置したアイコンをアニメーション表示する。したがって、異なる評価尺度で作られた二つの順序付きアイコン列を、その順位関係を崩すことなく表示するとともに、ユーザが興味を持てるアニメーションによる表示パターンで表示を行うことができる。
【発明の効果】
【００４０】
本発明によれば、異なる評価尺度で作られた二つの順序付きアイコン列を、その順位関係を崩すことなく表示することが可能となるという効果がある。また、ユーザからの簡易な入力操作により、ユーザの意図に即した選択的な閲覧が可能となるという効果がある。
【図面の簡単な説明】
【００４１】
【図１】本発明の第１の実施形態に係るアイコン列の表示装置の構成を示す図である。
【図２】本発明の第１の実施形態に係るアイコン列の表示例を示す図である。
【図３】本発明の第２の実施形態に係るアイコン列の表示装置の構成を示す図である。
【図４】本発明の第２の実施形態に係るアイコン列の表示例を示す図である。
【図５】本発明の第２の実施形態に係るアイコン列の表示例を示す図である。
【図６】本発明の第２の実施形態に係るアイコン列の表示例を示す図である。
【図７】本発明の第３の実施形態に係るアイコン列の表示装置の構成を示す図である。
【図８】本発明の第３の実施形態に係るアイコン列の表示範囲を変更する場合のユーザインターフェースとその表示例を示す図である。
【図９】本発明の第３の実施形態に係るアイコン列の表示例を示す図である。
【図１０】本発明の第３の実施形態に係るアイコン列の表示例を示す図である。
【図１１】本発明の第４の実施形態に係るアイコン列の表示装置の構成を示す図である。
【図１２】本発明の第４の実施形態に係るアイコン列の表示例を示す図である。
【図１３】本発明の第４の実施形態に係るアイコン列の表示例を示す図である。
【図１４】本発明の第４の実施形態に係るアイコン列の表示例を示す図である。
【図１５】本発明の第４の実施形態に係るアイコン列の表示例を示す図である。
【図１６】本発明の第５の実施形態に係るアイコン列の表示装置の構成を示す図である。
【図１７】本発明の第５の実施形態に係るアイコン列の表示例を示す図である。
【図１８】本発明の第５の実施形態に係るアイコン列の表示例を示す図である。
【図１９】本発明の第５の実施形態に係るアイコン列の表示例を示す図である。
【図２０】本発明の第５の実施形態に係るアイコン列の表示例を示す図である。
【発明を実施するための形態】
【００４２】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４３】
＜第１の実施形態＞
図１および図２を用いて、本発明の第１の実施形態について説明する。
【００４４】
＜アイコン列の表示装置の構成＞
本実施形態に係るアイコン列の表示装置は、図１に示すように、記憶部１１０と、合成配置制御部１２０と、表示部１３０とから構成されている。
【００４５】
記憶部１１０は、例えば、図２の上部に示すような異なる評価尺度で得られた２つの順序付きアイコン列をそれぞれ記憶する。合成配置制御部１２０は、例えば、図２の下部に示すように、２つの順序付きアイコン列の一部を重ねて一列に配置する。表示部１３０は、合成配置制御部１２０により配置されたアイコン群を表示器に表示する。
【００４６】
＜アイコン列の表示例＞
図２を用いて、本実施形態に係るアイコン列の表示例について説明する。
本実施形態においては、１の順番付きの大きなアイコン列Ｆ（１）、Ｆ（２）、．．．と、それを縮小した１の順番付きアイコン列ｆ（１）、ｆ（２）、．．．、他の順番付きの大きなアイコン列Ｒ（１）、Ｒ（２）、．．．と、それを縮小した他の順番付きアイコン列ｒ（１）、ｒ（２）、．．．を用意する。
本実施形態においては、表示最大個数（Ｖｉｅｗ  ＭＡＸ）に対して、１の順番付きアイコンを大きく表示させる表示エリア（ｎ）が設定されている（図２の場合は、ｎ＝３、つまり、Ｖｉｅｗ（１）からＶｉｅｗ（３））。
【００４７】
また、記憶部１１０は、２つの順序付きアイコンのそれぞれについて、大きさの異なるアイコン（Ｆ（）、ｆ（）、Ｒ（）、ｒ（））を記憶し、合成配置制御部１２０が、設定された表示エリア（ｎ）に対して、ｘ（ｘ＝１、…、Ｖｉｅｗ  ＭＡＸ）番目の表示位置Ｖｉｅｗ（ｘ）の異なる２つのアイコンを数１にしたがって、合成する。
【数１】
2013025685.tif 000003
ただし、数１のＦ（）＋ｒ（）、あるいはｆ（）＋Ｒ（）とは、２つのアイコンＦ（）、ｒ（）あるいはｆ（）、Ｒ（）を重ねる等の合成をしてアイコンを作成することを意味する。
【００４８】
したがって、本実施形態によれば、異なる評価尺度で作られた二つの順序付きアイコン列を、その順位関係を崩すことなく表示することが可能となる。
【００４９】
＜第２の実施形態＞
図３から図６を用いて、本発明の第２の実施形態について説明する。
【００５０】
＜アイコン列の表示装置の構成＞
本実施形態に係るアイコン列の表示装置は、図３に示すように、記憶部１１０と、合成配置制御部２２０と、表示部１３０とから構成されている。なお、第１の実施形態と同一の符号を付す構成要素については、同様の機能を有することから、その詳細な説明は、省略する。また、本実施形態では、記憶部１１０に記憶された異なる評価尺度で得られた２つの順序付きアイコンの数が、表示最大個数（Ｖｉｅｗ  ＭＡＸ）よりも少ない場合の表示形態を例示している。
【００５１】
１のアイコン（Ｆ（））の個数がＮ（＜Ｖｉｅｗ  ＭＡＸ）であるとき、合成配置制御部２２０は、Ｎ＜ｘの表示位置について、他のアイコン（Ｒ（））をＶｉｅｗ（ｘ）＝Ｒ（Ｖｉｅｗ  ＭＡＸ−ｘ）として単体で配置する。つまり、図４に示すように、Ｎ＝３であるときには、表示位置Ｖｉｅｗ（４）に、大きなサイズのアイコンＲ（１)を単体で表示する。
【００５２】
また、他のアイコン（Ｒ（））の個数がＭ（＜Ｖｉｅｗ  ＭＡＸ）であるとき、合成配置制御部２２０手段は、ｘ≦Ｖｉｅｗ  ＭＡＸ−Ｍの表示位置について、１のアイコン（Ｆ（））をＶｉｅｗ（ｘ）＝Ｆ（ｘ）として単体で配置する。つまり、図５に示すように、Ｍ＝３であるときには、表示位置Ｖｉｅｗ（１）に、大きなサイズのアイコンＦ（１)を単体で表示する。
【００５３】
さらに、１のアイコン（Ｆ（））の個数がＮ（＜Ｖｉｅｗ  ＭＡＸ）で、かつ、他のアイコン（Ｒ（））の個数がＭ（＜Ｖｉｅｗ  ＭＡＸ）であり、Ｎ＋Ｍ＜Ｖｉｅｗ  ＭＡＸのとき、合成配置制御部２２０は、Ｎ＜ｘ≦Ｖｉｅｗ  ＭＡＸ−Ｍの表示位置について、いずれのアイコンも配置しない。つまり、図６に示すように、Ｎ＝１、Ｍ＝１であるときには、表示位置Ｖｉｅｗ（１）に、大きなサイズのアイコンＦ（１)を単体で表示するとともに、表示位置Ｖｉｅｗ（４）に、大きなサイズのアイコンＲ（１)を単体で表示する。また、Ｖｉｅｗ（２）およびＶｉｅｗ（３）には、いずれのアイコンも配置しない。
【００５４】
したがって、本実施形態によれば、記憶されているアイコンの数が表示最大個数（Ｖｉｅｗ  ＭＡＸ）よりも少ない場合であっても、異なる評価尺度で作られた二つの順序付きアイコン列を、その順位関係を崩すことなく表示することが可能となる。
【００５５】
＜第３の実施形態＞
図７から図１０を用いて、本発明の第３の実施形態について説明する。
【００５６】
＜アイコン列の表示装置の構成＞
本実施形態に係るアイコン列の表示装置は、図７に示すように、記憶部１１０と、エリア変更部３１０と、合成配置制御部３２０と、表示部１３０とから構成されている。なお、第１の実施形態と同一の符号を付す構成要素については、同様の機能を有することから、その詳細な説明は、省略する。また、本実施形態では、表示最大個数（Ｖｉｅｗ  ＭＡＸ）の範囲内で表示形態を変更する場合を例示している。
【００５７】
エリア変更部３１０は、例えば、ユーザの指示に基づいて、表示エリア（ｎ）を変更する。なお、ユーザの指示手段としては、端末上に配置された物理的なカーソルキーあるいは、画面上に描写された矢印等のアイコンやタッチパネルにおけるフリック操作等でもよいがこれに限られるものではない。また、ユーザの指示に基づくのではなく、一定時間が経過すると所定量だけ表示エリア（ｎ）が変更するようにしてもよい。なお、表示エリア（ｎ）の変更は、図８に示すように、背景のパターンを変更して、ユーザに表示エリア（ｎ）の移動方向を認知させるようにしてもよい。
【００５８】
合成配置制御部３２０は、表示エリア（ｎ）を示すｎが＋１変更されたときに、表示位置Ｖｉｅｗ（ｎ＋１）のアイコンの配置をＶｉｅｗ（ｎ＋１）＝ｆ（ｎ＋１）＋Ｒ（Ｖｉｅｗ  ＭＡＸ−ｎ＋１）からＶｉｅｗ（ｎ＋１）＝Ｆ（ｎ＋１）＋ｒ（Ｖｉｅｗ  ＭＡＸ−ｎ＋１）に変更する。つまり、図２に示す表示形態から、表示エリア（ｎ）を示す３から４に変更されたときには、図９に示すように、表示位置Ｖｉｅｗ（４）において、もともと小さいサイズで示されていたアイコンｆ（４）を大きいサイズのアイコンＦ（４）に変更するとともに、大きいサイズで示されていたアイコンＲ（１）を小さいサイズのアイコンｒ（１）に変更して表示する。
【００５９】
また、合成配置制御部３２０は、表示エリア（ｎ）を示すｎが−１変更されたときに、表示位置Ｖｉｅｗ（ｎ−１）のアイコンの配置をＶｉｅｗ（ｎ−１）＝ｆ（ｎ−１）＋Ｒ（Ｖｉｅｗ  ＭＡＸ−ｎ）からＶｉｅｗ（ｎ−１）＝Ｆ（ｎ−１）＋ｒ（Ｖｉｅｗ  ＭＡＸ−ｎ）に変更する。つまり、図２に示す表示形態から、表示エリア（ｎ）を示す３から２に変更されたときには、図１０に示すように、表示位置Ｖｉｅｗ（３）において、もともと小さいサイズで示されていたアイコンｒ（２）を大きいサイズのアイコンＲ（２）に変更するとともに、大きいサイズで示されていたアイコンＦ（３）を小さいサイズのアイコンｆ（３）に変更して表示する。
【００６０】
したがって、本実施形態によれば、ユーザ等の操作により、表示最大個数（Ｖｉｅｗ  ＭＡＸ）の範囲内で表示変更の指示がされた場合であっても、ユーザの意図に即した選択的な閲覧が可能となる。
【００６１】
＜第４の実施形態＞
図１１から図１５を用いて、本発明の第４の実施形態について説明する。
【００６２】
＜アイコン列の表示装置の構成＞
本実施形態に係るアイコン列の表示装置は、図１１に示すように、記憶部１１０と、エリア変更部３１０と、合成配置制御部４２０と、表示部１３０とから構成されている。なお、第１の実施形態および第３の実施形態と同一の符号を付す構成要素については、同様の機能を有することから、その詳細な説明は、省略する。また、本実施形態では、表示最大個数（Ｖｉｅｗ  ＭＡＸ）の範囲を超えて、表示形態を変更する場合を例示している。
【００６３】
合成配置制御部４２０は、表示エリア（ｎ）を示すｎが、ｎ≧Ｖｉｅｗ  ＭＡＸの場合に、ｎが＋１変更されたときに、表示位置Ｖｉｅｗ（ｎ＋１）に新たなアイコンを配置し、表示エリア全体をアイコン表示領域１コマ（ＶｉｅｗＳｉｚｅ）分表示位置を正方向に移動させる。つまり、ｎ＝Ｖｉｅｗ  ＭＡＸ＝４の場合に、図２に示す表示形態（図１２の（Ａ））から、＋１表示エリアが変更となったときには、図１２（Ｂ）に示すように、表示位置Ｖｉｅｗ（４）の隣に、表示位置Ｖｉｅｗ（５）を設け、表示位置Ｖｉｅｗ（５）に、例えば、アイコンＦ（５）を表示する。
【００６４】
また、合成配置制御部４２０は、表示エリア（ｎ）を示すｎが、ｎ＞Ｖｉｅｗ  ＭＡＸの場合に、ｎが−１変更されたときに、表示エリア全体をアイコン表示領域１コマ分表示位置の負方向に移動させる。つまり、ｎ＝５、Ｖｉｅｗ  ＭＡＸ＝４の場合に、図１３（Ａ）に示す表示形態から、−１表示エリアが変更となったときには、図１３（Ｂ）に示すように、表示位置Ｖｉｅｗ（２）の隣に、Ｖｉｅｗ（１）を再度表示する。
【００６５】
また、合成配置制御部４２０は、表示エリア（ｎ）を示すｎが、ｎ≦０の場合に、ｎが−１変更されたときに、表示位置Ｖｉｅｗ（ｎ−１）に新たなアイコンを配置し、表示エリア全体をアイコン表示領域１コマ（ＶｉｅｗＳｉｚｅ）分表示位置を負方向に移動させる。つまり、ｎ＝０の場合に、図１４（Ａ）に示す表示形態から、ｎが−１変更されたときには、図１４（Ｂ）に示すように、表示位置Ｖｉｅｗ（１）の隣に、表示位置Ｖｉｅｗ（０）を設け、表示位置Ｖｉｅｗ（０）に、例えば、アイコンＲ（５）表示する。
【００６６】
さらに、合成配置制御部４２０は、表示エリア（ｎ）を示すｎが、ｎ＜０の場合に、ｎが＋１変更されたときに、表示エリア全体をアイコン表示領域１コマ（ＶｉｅｗＳｉｚｅ）分表示位置を正方向に移動させる。つまり、ｎ＝−１の場合に、図１５（Ａ）に示す表示形態から、ｎが＋１変更されたときには、図１５（Ｂ）に示すように、表示位置Ｖｉｅｗ（３）の隣に、Ｖｉｅｗ（４）を再度表示する。
【００６７】
したがって、本実施形態によれば、ユーザ等の操作により、表示最大個数（Ｖｉｅｗ  ＭＡＸ）の範囲を越えて表示変更の指示がされた場合であっても、ユーザの意図に即した選択的な閲覧が可能となる。
【００６８】
＜第５の実施形態＞
図１６から図２０を用いて、本発明の第５の実施形態について説明する。
【００６９】
＜アイコン列の表示装置の構成＞
本実施形態に係るアイコン列の表示装置は、図１６に示すように、記憶部１１０と、合成配置制御部１２０と、表示部１３０と、アニメーション表示制御部５１０とから構成されている。なお、第１の実施形態と同一の符号を付す構成要素については、同様の機能を有することから、その詳細な説明は、省略する。また、本実施形態では、例えば、第１の実施形態において配置されたアイコンをアニメーション表示する場合を例示している。
【００７０】
アニメーション表示制御部５１０は、図１７に示すように、合成配置制御部１２０が配置制御したそれぞれアイコンの形状や大きさを変更するとともに、その配置を適宜変更して、これらをアニメーション表示する。また、合成配置制御部１２０によるアイコンの配置表示とアニメーション表示制御部５１０によるアイコンのアニメーション表示とは、図示しない切替手段により切り替えが可能である。
【００７１】
また、アニメーション表示制御部５１０は、図１８および図１９に示すように、合成配置制御部１２０が配置制御したアイコン群の背景を変化させることにより、アニメーション表示を行う。この場合も、合成配置制御部１２０によるアイコンの配置表示とアニメーション表示制御部５１０によるアイコンのアニメーション表示とは、図示しない切替手段により切り替えが可能である。
【００７２】
さらに、アニメーション表示制御部５１０は、図２０に示すように、合成配置制御部１２０が配置制御したアイコン群を複数表示し、ユーザ等の操作により、ｎ≧Ｖｉｅｗ  ＭＡＸの場合に、ｎが＋１変更されたときに画面表示を（Ａ）から（Ｂ）、（Ｃ）となめらかに表示変更を行う。また、逆にｎが−１変更されたときに画面表示を（Ｃ）から（Ｂ）、（Ａ）となめらかに表示変更を行う。
なお、図２０は、ｎ≧Ｖｉｅｗ  ＭＡＸの場合を示しているが、ｎ≦０の場合には、表示変更の向きが逆になるだけであるため、これについては、図示を省略する。
【００７３】
したがって、本実施形態によれば、異なる評価尺度で作られた二つの順序付きアイコン列を、その順位関係を崩すことなく表示するとともに、ユーザが興味を持てるアニメーションによる表示パターンで表示を行うことができる。
【００７４】
なお、アイコン列の表示装置の処理をコンピュータシステムで読み取り可能な記録媒体に記録し、この記録媒体に記録されたプログラムをアイコン列の表示装置に読み込ませ、実行することによって本発明のアイコン列の表示装置を実現することができる。ここでいうコンピュータシステムとは、ＯＳや周辺装置等のハードウェアを含む。
【００７５】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００７６】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００７７】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００７８】
１１０；記憶部
１２０；合成配置制御部
１３０；表示部
２２０；合成配置制御部
３１０；エリア変更部
３２０；合成配置制御部
４２０；合成配置制御部
５１０；アニメーション表示制御部
【図１】
2013025685.tif 000005
【図２】
2013025685.tif 000006
【図３】
2013025685.tif 000007
【図４】
2013025685.tif 000008
【図５】
2013025685.tif 000009
【図６】
2013025685.tif 000010
【図７】
2013025685.tif 000011
【図８】
2013025685.tif 000012
【図９】
2013025685.tif 000013
【図１０】
2013025685.tif 000014
【図１１】
2013025685.tif 000015
【図１２】
2013025685.tif 000016
【図１３】
2013025685.tif 000017
【図１４】
2013025685.tif 000018
【図１５】
2013025685.tif 000019
【図１６】
2013025685.tif 000020
【図１７】
2013025685.tif 000021
【図１８】
2013025685.tif 000022
【図１９】
2013025685.tif 000023
【図２０】
2013025685.tif 000024